(57)【特許請求の範囲】
【請求項１】
番組情報を取得する番組情報取得部と、
前記番組取得部により取得された番組情報に基づいて、時間軸とチャネル軸とによる電子番組表を編集する電子番組表編集部であって、同一のＴＳを識別するＴＳＩＤを有するサービスについては、同一の番組情報表示領域に表示するように編集する電子番組表編集部とを有することを特徴とするデジタル放送受信装置において、
前記電子番組表編集部は、サブチャンネルにおいて異なる番組が放送される場合に、異なる番組が放送される時間帯の表示を、サブチャンネル数分に分割して番組情報も表示し、
各放送局に割り当てる表示領域を同一のチャンネル軸方向のサイズにすることを特徴とするデジタル放送受信装置。
【請求項２】
サブチャンネル数分に分割して表示する場合に、サービスＩＤも前記サブチャンネルの分割に対応させて分割することを特徴とする請求項１に記載のデジタル放送受信装置。
【請求項３】
さらに、ＴＳＩＤを含む前記番組情報をサービスＩＤ毎に分類したテーブルを記憶するデータベース部を有することを特徴とする請求項１又は２に記載のデジタル放送受信装置。
【請求項４】
前記電子番組表編集部は、前記ＴＳＩＤが一致するか否かを判定し、同一のＴＳＩＤの番組情報は同じ番組情報表示領域を分割して表示することを特徴とする請求項３に記載のデジタル放送受信装置。
【請求項５】
サブチャンネル数分に分割して表示する場合に、前記サービスＩＤ欄に関しても分割数分のサービスＩＤを表示するか、或いは、放送局名を表示することを特徴とする請求項１から４までのいずれか１項に記載のデジタル放送受信装置。
【請求項６】
時間軸とチャネル軸とによる電子番組表の編集方法であって、
放送局名、ＴＳを一意に識別するＴＳＩＤを含む番組情報を放送波から取得するステップと、電子番組表のうち表示する領域に表示するサービスの情報を前記番組情報から取得するステップと、現在取得したサービスの情報が直前のサービスとＴＳＩＤが一致するか否かを判定するステップと、直前のサービスとＴＳＩＤが同じであれば同一のＴＳＩＤのサービスに対して番組表示ボックスを再表示し、直前のサービスとＴＳＩＤが異なれば異なるサービスとして番組表示ボックスを表示するステップと、を有することを特徴とする方法において、
サブチャンネルにおいて異なる番組が放送される場合に、異なる番組が放送される時間帯の表示を、サブチャンネル数分に分割して番組情報も表示し、各放送局に割り当てる表示領域を同一のチャンネル軸方向のサイズにすることを特徴とする方法。
【請求項７】
全ての情報を取得するまで、前記番組表示ボックスの再表示・表示の処理のループを継続するステップを有することを特徴とする請求項６に記載の方法。
【請求項８】
請求項６又は７に記載の方法をコンピュータに実行させるためのプログラム。
【発明の詳細な説明】
【技術分野】
【０００１】
本発明は、デジタル放送受信装置に関し、特に、デジタル放送受信装置における電子番組表表示技術に関する。
【背景技術】
【０００２】
デジタルテレビジョン放送を受信するデジタル放送受信装置にあっては、放送信号から取得したＥＰＧ（electronic program guide）情報に基づいて電子番組表を作成し、画面に映像表示している。そして、ユーザは、映像表示された電子番組表から所望の番組を選択して、視聴や録画予約等を行なうことができる。
【０００３】
ところで、各放送局に含まれるサブチャンネルの分だけ表示領域を確保していたために、放送局ごとに番組を表示する領域の大きさが異なる。そのため、一画面上に表示される放送局の数が少なくなっていた。
【０００４】
また、一画面上に表示される放送局の数が少ないため、スクロールしなければ全ての放送局の情報を表示することができないため、一覧性が悪くなっていた。
【０００５】
図８は、出願人の製品に搭載されている電子番組表機能に基づく表示例を示す図である。図８に示す電子番組表１００では、チャンネル軸を縦軸１０５に、時間軸を横軸１０３にしており、複数の表示領域に複数の番組情報が表示されている。例えば、同じ放送局のサービスＩＤ１２１と１２２とは、０時から４時までは番組１２Ａのみが表示され、４時から６時までは番組１２Ｂと番組１２Ｃとの２番組が表示領域１０７であって、チャンネル軸方向に２分割された領域１０７ａに番組１２Ｂが、領域１０７ｂに番組１２Ｃが表示されている。また、同じ放送局のサービスＩＤ１３１〜１３３までの領域１１１は、領域１１１ａに番組１３Ｃが、領域１１１ｂに番組１３Ｄが、領域１１１ｃに番組１３Ｅが、表示されている（特許文献１参照）。
【０００６】
【特許文献１】特開２００６−２１０９６６号公報
【発明の開示】
【発明が解決しようとする課題】
【０００７】
しかしながら、サービスＩＤの数に依存して各放送局の表示エリアに差が生じるという問題がある。特に、放送局が多数の場合に、一覧できる放送局数が少なくなるため、全ての放送局を確認するためには、スクロールを行う必要があるという問題があった。
【０００８】
本発明は、より多くの情報表示を行い、電子番組表における一覧性を高めることを目的とする。
【課題を解決するための手段】
【０００９】
本発明の一観点によれば、番組情報を取得する番組情報取得部と、前記番組取得部により取得された番組情報に基づいて、電子番組表を編集する電子番組表編集部であって、同一のＴＳを識別するＴＳＩＤを有するサービスについては、同一の番組情報表示領域に表示するように編集する電子番組表編集部と、を有することを特徴とするデジタル放送受信装置が提供される。
【００１０】
前記電子番組表編集部は、サブチャンネルにおいて異なる番組が放送される場合に、異なる番組が放送される時間帯の表示を、サブチャンネル数分に分割して表示することが好ましい。この際、各放送局に割り当てる表示領域を同一のチャンネル軸方向のサイズにすることが好ましい。このように、各放送局に割り当てる表示領域を同一のチャンネル軸方向のサイズにすることで、同一のＴＳを識別するＴＳＩＤを有するサービスが複数ある場合でも、番組表示大枠を変更しなくて良い。尚、ＴＳは、Ｔｒａｎｓｐｏｒｔ  Ｓｔｒｅａｍの略であり、ＭＰＥＧシステム規格（ＩＳＯ／ＩＥＣ  １３８１８−１）において規定されるトランスポートストリームのことである。ＴＳＩＤは、各ＴＳに割り当てられる識別子であり、ネットワーク内でユニークになる。
【００１１】
上記において、サブチャンネル数分に分割して表示する場合に、サービスＩＤも前記サブチャンネルの分割に対応させて分割することもできる。これにより、表示がさらにわかりやすくなる。尚、サービス（編成チャンネル）とは、放送事業者が編成する、スケジュール化された放送番組の連続のことであり、サービスＩＤとは、このサービスをユニークに識別する識別子である。
【００１２】
さらに、ＴＳＩＤを含む前記番組情報をサービスＩＤ毎に分類したテーブルを記憶するデータベース部を有することが好ましい。前記電子番組表編集部は、前記ＴＳＩＤが一致するか否かを判定し、同一のＴＳＩＤの番組情報は同じ番組情報表示領域を分割して表示することが好ましい。
【００１３】
本発明の他の観点によれば、電子番組表の編集方法であって、放送局名、ＴＳを一意に識別するＴＳＩＤを含む番組情報を放送波から取得するステップと、電子番組表のうち表示する領域に表示するサービスの情報を前記番組情報から取得するステップと、現在取得したサービスの情報が直前のサービスとＴＳＩＤが一致するか否かを判定するステップと、直前のサービスとＴＳＩＤが同じであれば同一のＴＳＩＤのサービスに対して番組表示ボックスを再表示し、直前のサービスとＴＳＩＤが異なれば異なるサービスとして番組表示ボックスを表示するステップと、を有することを特徴とする方法が提供される。全ての情報を取得するまで、前記番組表示ボックスの再表示・表示の処理のループを継続するステップを有することが好ましい。
【００１４】
また、上記各ステップをコンピュータに実行させるためのプログラム又はプログラムを記憶するコンピュータ読みとり可能な記録媒体であっても良い。プログラムは伝送媒体により取得される場合もある。
【発明の効果】
【００１５】
本発明によれば、従来の番組表に比べて、より多くの情報を表示できるため、番組表における一覧性が増す。また、サブチャンネルで他の番組が行われている場合でも、番組部分がそれぞれ異なった表示となるため、他の番組が行われていることがわかりやすいという利点がある。
【発明を実施するための最良の形態】
【００１６】
本発明に係る電子番組表の表示技術は、あるＴＳＩＤのサービス１が存在する場合、これと同一ＴＳＩＤのサービス２の番組情報を表示する際、サービス１とサービス２を同じ領域に表示することを特徴とする。同一のＴＳＩＤのサービスで、ある時間帯に、それぞれ別の番組が行われている場合、最初に描画した番組の情報を、領域を小さくして再度描き直し、その後、別の番組の情報を書き加えることで、同一の時間帯に複数個の番組を表示できるようにすることを特徴とする。
【００１７】
以下、本発明の一実施の形態によるデジタル放送受信装置について図面を参照しながら説明を行う。図１及び図２は、それぞれ、本実施の形態によるデジタル放送受信装置の概要を示す図である。
【００１８】
図１に示すように、デジタル放送受信装置Ａは、アンテナ１と、デジタル放送のチューナを含むデジタル放送受信部３と、電子番組表取得部７と、デコーダ部１１と、リモコン受光部１５と、音声信号の処理を行う音声信号処理部２５と、処理後の音声信号に基づく音声を出力するスピーカ２１と、映像信号の処理を行う映像信号処理部２７と、処理後の映像信号に基づく映像を出力するディスプレイ２３と、これらの各機能ブロックについてバスラインＢＬ１を通して制御する制御部（ＣＰＵ）５と、下記の処理を行うためのプログラムその他の情報を記憶する記憶部（ＲＯＭ・ＲＡＭ）１８・１９と、を有している。制御部５は、例えばプログラムに基づいて処理される電子番組表編集部５ａを備えている。
【００１９】
図２に示すように、ＤＶＤ（ＨＤＤ）レコーダ（記録再生装置）Ｂは、アンテナ４１と、デジタルチューナ４３と、制御部４７と、リモコン受光部５１と、記憶部（ＨＤＤ）５３と、ＨＤＭＩインターフェイス部５５と、電子番組表取得部５７と、ＤＶＤなどの光ディスク駆動部６３と、操作部６７と、を有している。制御部４７には、プログラムによって動作する電子番組表編集部４７ａが設けられている。それぞれは、対応するリモコン装置により操作することが可能である。
【００２０】
電子番組表は、いずれの機器においても利用可能であるが、例えば、ＨＤＭＩ規格に対応していれば、両者をＨＤＭＩ接続し、いずれかのリモコン装置を用いて電子番組表をディスプレイ２３に表示させることができる。電子番組表を作成するための番組情報は、上記デジタル放送受信部で受信した放送波から抽出しても良いし、別途、インターネットなどから取得するようにしても良い。
【００２１】
次に、本実施の形態による電子番組表の編集処理と、その概要及び表示例について図面を参照しながら説明を行う。図３は、電子番組表の編集処理の流れを示すフローチャート図であり、図４は、電子番組表の編集処理により作成されるデータベースの一構成例を示す図である。図５は、各放送局の表示領域における表示の流れを図示したものであり、図６は、電子番組表の一表示例を示す図である。
【００２２】
まず、ステップＳ１において、放送局名、ＴＳを一意に識別するＴＳＩＤなどの番組情報を放送波から取得し、データベースを作成する処理を開始する。ステップＳ２において、ＥＰＧ表示の指示、例えばリモコン装置に設けられているＥＰＧ表示のための操作ボタンを押すと、ステップＳ３に進み、ＥＰＧのうち表示する領域を決定する。次いで、ステップＳ４において、表示するサービスの情報を上記番組情報から取得する。次いで、ステップＳ５において、現在取得したサービスの情報が直前のサービスとＴＳＩＤが一致するか否かを判定する。直前のサービスとＴＳＩＤが同じであれば（Ｙｅｓ）ステップＳ６に進み、同一のＴＳＩＤのサービスに対して番組表示ボックスを再表示する。直前のサービスとＴＳＩＤが異なれば（Ｎｏ）ステップＳ７に進み、異なるサービスとして番組表示ボックスを表示する。いずれの場合においても、ステップＳ８において全ての情報を取得したか否かを判定し、ＮｏであればステップＳ４に戻り、ＹｅｓであればステップＳ９に進みＥＰＧ表示を行う。すなわち、ステップＳ８において全ての情報を取得されたと判断されるまでは、番組表示ボックスの再表示・表示の処理のループが継続される。この処理の様子が図５に示される。図５（Ａ）は１回目のループであって、図４のデータベースのうち１回目のループで取得する情報に基づく表示例を示す図である。１回目のループで取得するべき情報は、図４に示すデータベースのサービスＩＤ１３１、放送局名○○放送、ＴＳＩＤが０ｘ４０３０に基づいて、例えば０：００から６：００までの間の符号１３Ａ、１３Ｂ、１３Ｃ、１３Ｆで特定される番組が検索され、図５（Ａ）に示すように、サービスロゴ欄７１と、サービスＩＤ欄７３と、番組表示欄７５、７７、７９、８１とが、ある高さの表示枠により画定されるそれぞれの欄に、番組情報がデータベースの内容に基づいて表示される。
【００２３】
次の２回目のループにおいては、図４に示すデータベースのサービスＩＤ１３２、放送局名○○放送、ＴＳＩＤが０ｘ４０３０に基づいて、例えば０：００から６：００までの間の符号１３Ａ、１３Ｂ、１３Ｄ、１３Ｆで特定される番組が検索され、図５（Ｂ）に示すように、サービスロゴ欄７１と、サービスＩＤ欄７３と、番組表示欄７５、７７、７９（７９ａ・７９ｂ）、８１とが、ある高さの表示枠により画定されるそれぞれの欄に、番組情報がデータベースの内容に基づいて表示される。この際、サービスＩＤ１３２はサービスＩＤ１３１と同一番組であり変化がない（サービスＩＤ１３２の情報を取得後に同一番組であることがわかる）ため、番組１３Ａ、１３Ｂ、１３Ｆの表示は変更されず、番組１３Ｃの表示がチャンネル軸（図の縦方向）に２分割され、それぞれの領域に、番組１３Ｃと番組１３Ｄの情報が表示される。
【００２４】
次の３回目のループにおいては、図４に示すデータベースのサービスＩＤ１３３、放送局名○○放送、ＴＳＩＤが０ｘ４０３０に基づいて、例えば０：００から６：００までの間の符号１３Ａ、１３Ｂ、１３Ｅ、１３Ｆで特定される番組が検索され、図５（Ｃ）に示すように、サービスロゴ欄７１と、サービスＩＤ欄７３と、番組表示欄７５、７７、７９（７９ａから７９ｃ）、８１とが、ある高さの表示枠により画定されるそれぞれの欄に、番組情報がデータベースの内容に基づいて表示される。この際、サービスＩＤ１３３はサービスＩＤ１３１と同一番組であり変化がない（サービスＩＤ１３３の情報を取得後に同一番組であることがわかる）ため、番組１３Ａ、１３Ｂ、１３Ｆの表示は変更されず、番組１３Ｃ／１３Ｄの表示がチャンネル軸（図の縦方向）に２分割から３分割に変更（追加）され、それぞれの領域に、番組１３Ｃ〜番組１３Ｅの情報が表示される。
【００２５】
尚、サービスＩＤ１３２、１３３は、サービスＩＤ１３１、１３２とそれぞれＴＳＩＤが同じであるため、１３２、１３３のＳＩＤやロゴについては追加表示しない。さらに、４回目のループがあれば、図４に示すように同様の処理を継続する。
【００２６】
図６は、上記の処理を行うことで表示された電子番組表の一覧表示例を示す図である。図６に示すように、図では縦軸となるチャンネル軸（７１・７３）と、横軸となる時間軸（８３）とで画定される領域内に、各番組情報が表示されている。ここで、符号８５で示されるマルチ編成領域には、番組１３Ｃ（８５ａ）・番組１３Ｄ（８５ｂ）・番組１３Ｅ（８５ｃ）が３段組みで表示されており、３段合わせて１つの番組と同じ縦軸方向の高さとなっている。
【００２７】
また、符号８７で示されるマルチ編成領域には、番組１４Ｂ（８７ａ）・番組１４Ｃ（８７ｂ）が２段組みで表示されており、２段合わせて１つの番組と同じ縦軸方向の高さとなっている。このように、各放送局の表示領域（枠）の大きさを同じに設定し、マルチ編成の場合は、同一の表示領域の範囲内で領域をチャンネル軸方向に分割して表示することで、大枠は同じになるため整然とした枠表示となって一覧性を確保することができ、マルチ編成の場合の番組の確認も容易になるという利点がある。
【００２８】
次に本実施の形態の変形例について説明する。図７は、変形例による電子番組表の表示例であり図６に対応する図である。図７に示すように、マルチ表示８５に対応してサービスＩＤ欄７３に関しても符号７３ａに示すように、１３１、１３２、１３３のように３つのサービスＩＤを表示する。或いは、放送局名を表示することで、欄８５との対応関係をわかりやすくするように表示させることも可能である。
【００２９】
以上に説明したように、本実施の形態においては、従来の番組表に比べて、より多くの情報を同じ領域内に表示することができるため、電子番組表における一覧性が増すという利点がある。また、サブチャンネルで他の番組が行われている場合でも、番組部分がそれぞれ異なった表示となるため、他の番組が行われていることを認識しやすいという利点がある。
【００３０】
尚、ネットワーク（地上デジタル、ＣＳデジタル、ＢＳデジタルなど）ごとに、独立して、かつ、ネットワーク毎に一括して上記のような構成とすることができる。例えば、地上デジタル放送のみ、本実施の形態による構成としても良い。
【００３１】
さらに、メディア（テレビサービス、ラジオサービス、データサービス）毎に、一括で上記構成がとれるようにすることもできる。例えば、テレビサービスのみ、上記構成をとれるようにしても良い。また、時間軸とチャンネル軸とが入れ替わったＥＰＧ表示であっても良い。
【００３２】
デジタル放送受信装置としては、テレビジョン受信装置、記録再生装置、パーソナルコンピュータなどが含まれるため、製品の呼称・形態によって限定されるものではない。
【産業上の利用可能性】
【００３３】
本発明は、デジタル放送受信装置に利用可能である。
【図面の簡単な説明】
【００３４】
【図１】本発明の一実施の形態によるデジタル放送受信装置の一構成例を示す機能ブロック図である。
【図２】本発明の一実施の形態による記録再生装置の一構成例を示す機能ブロック図である。
【図３】本実施の形態による電子番組表の編集処理を示すフローチャート図である。
【図４】本実施の形態による電子番組表の編集処理により作成されるデータベースの一構成例を示す図である。
【図５】各放送局の表示領域における表示の流れを示す図である。
【図６】電子番組表の一表示例を示す図である。
【図７】図６に示す表示例の一変形例を示す図である。
【図８】一般的な電子番組表機能に基づく表示例を示す図である。
【符号の説明】
【００３５】
Ａ…デジタル放送受信装置、１…アンテナ、３…デジタル放送受信部、５…制御部（ＣＰＵ）、７…電子番組表取得部、１１…デコーダ部、１５…リモコン受光部、１８・１９…記憶部、２１…スピーカ、２３…ディスプレイ、２５…音声信号処理部、２７…映像信号処理部。
【図１】
0004257371.tif 000002
【図２】
0004257371.tif 000003
【図３】
0004257371.tif 000004
【図４】
0004257371.tif 000005
【図５】
0004257371.tif 000006
【図６】
0004257371.tif 000007
【図７】
0004257371.tif 000008
【図８】
0004257371.tif 000009